(57)【特許請求の範囲】
【請求項１】
洗浄水により便器本体を洗浄する水洗大便器において、
便器本体の供給口へ洗浄水を供給する給水装置と、
ボウル形状の汚物受け面と、上記汚物受け面の上縁部の上方において、内部に洗浄水を導くリム通水路を形成するリム部と、を備えているボウル部と、
上記ボウル部の下方にその入口が接続され汚物を排出する排水路と、
上記供給口から前方に延び、下流側の上記リム通水路に接続する接続導水路が上記便器本体の前後中央断面に対して左右方向のいずれか一方側の第１の側の上記リム通水路に向けられて形成されているリム後方導水路と、を有し、
上記リム部は、
上記前後中央断面に対して左右対称に形成されるリム内側壁と、
上記前後中央断面に対して左右非対称に形成される上記汚物受け面の上縁部と左右対称の上記リム内側壁との間に形成されるスリット開口部と、を備え、
上記スリット開口部は、上記リム後方導水路の接続導水路が向けられる第１の側の上記スリット開口部のスリット間隔が、上記前後中央断面に対して他方側の第２の側の上記スリット開口部のスリット間隔よりも小さくなるように形成され、上記リム部のスリット間隔の異なる上記スリット開口部から吐水される洗浄水により上記汚物受け面に旋回流を形成し、
上記スリット開口部は、上記ボウル部を左右に切った左右中央断面において、上記第１の側の上記スリット開口部のスリット間隔が、上記第２の側の上記スリット開口部のスリット間隔よりも小さくなるように形成されている、ことを特徴とする水洗大便器。
【請求項２】
上記スリット開口部は、自身のスリット間隔の大きさが上流側のスリット間隔の大きさよりも大きく形成され且つ下流側のスリット間隔の大きさよりも大きく形成されたスリット間隔増大部を、便器本体の前側の領域の一部に形成している、請求項１記載の水洗大便器。
【請求項３】
上記スリット開口部は、上記リム後方導水路の接続導水路が向けられる第１の側の上記スリット開口部のスリット間隔が、上記リム部の後端部から第１側部まで徐々に大きくなるように形成されている、請求項１又は２に記載の水洗大便器。
【請求項４】
上記スリット開口部は、上記ボウル部の後部を左右に切った左右後部断面において、上記第１の側の上記スリット開口部のスリット間隔が、上記第２の側の上記スリット開口部のスリット間隔よりも小さくなるように形成されている、請求項１乃至３の何れか１項に記載の水洗大便器。
【請求項５】
上記スリット開口部は、上記第１の側において上記スリット間隔が上記リム部の後端部から上記第１側部まで徐々に大きくなるような変化の割合が、上記第２の側において上記スリット間隔が上記リム部の後端部から上記第２側部まで徐々に大きくなるような変化の割合よりも小さくなるように形成されている、請求項１乃至４の何れか１項に記載の水洗大便器。
【請求項６】
上記スリット開口部は、上記スリット間隔が上記第１の側において上記リム部の後端部から前端部まで徐々に大きくなるように形成されている、請求項１乃至５の何れか１項に記載の水洗大便器。
【請求項７】
上記スリット開口部は、上記汚物受け面の上記上縁部と上記リム内側壁との間を接続する接続部を備えている、請求項１乃至６の何れか１項に記載の水洗大便器。
【請求項８】
上記リム部は、上記第１の側の上記リム部の幅と、上記第２の側の上記リム部の幅とが同じになるように形成されている、請求項１乃至７の何れか１項に記載の水洗大便器。
【発明の詳細な説明】
【技術分野】
【０００１】
本発明は、水洗大便器に係り、特に、洗浄水により便器本体を洗浄する水洗大便器に関する。
【背景技術】
【０００２】
従来から、例えば、図７に示すような従来の水洗大便器１０１が、便器本体１０２の全周に形成されたリム１１８のリム通水路１２０の底面にスリット開口１３４を備えているオープンリム構造を備えたものが知られている。このようなオープンリム構造においては、供給口１０６から供給された洗浄水が、リム後方導水路１１０からリム通水路１２０に供給され、洗浄水がリム通水路１２０からスリット開口１３４を通って汚物受け面１１６に吐水される。このようなオープンリム構造の水洗大便器１０１は比較的安価に製造できるという利点を有している一方、後述のような問題点を有している。
【０００３】
また、従来から、例えば、特許文献１に示すような従来の水洗大便器のオープンリム構造においては、リム後方の導水路からリム部に流入した直後の洗浄水が到達する部分の棚部の内側端を、汚物受け面の上縁よりも内側まで突出させスリット開口の幅を狭く形成し、一方の洗浄水を棚部上で時計回りに周回させ、他方の洗浄水を棚部上で反時計回りに周回させるようになっている。棚部上で時計回りに周回する洗浄水は主流を形成し、この主流をボウル面の前部からＵターンして排水トラップ入口に向かって汚物を押し込むようになっている。棚部上で反時計回りに周回する洗浄水は、リム後方の導水路とリム部の接続部近傍において、ボウル面後部に流下するようになっている。
【先行技術文献】
【特許文献】
【０００４】
【特許文献１】特許第４０６２７３１号公報
【発明の概要】
【発明が解決しようとする課題】
【０００５】
しかしながら、このような従来の水洗大便器１０１において、近年の節水化の要請により、洗浄水量を低減して少ない洗浄水量で洗浄しようとする場合、リム通水路１２０に供給される洗浄水は、洗浄水量が減ったことによりその勢いが弱く、リム後方導水路１１０がリム通水路１２０に合流する合流部分近傍のスリット開口１３４からその洗浄水のほとんどが水流ｆ１に示すように、汚物受け面１１６に流下してしまうこととなる。また、水勢を比較的強く有しながら一気に溜水面に向かって流下するため水跳ねを生じるという問題も有している。
一方で、前部側のスリット開口１３４から吐水される洗浄水の水流ｆ０は、後部側のスリット開口１３４からは比較的大量の洗浄水が吐水されているので、比較的少量かつ水勢も弱くなっている。
よって、吐水された洗浄水は汚物受け面１１６上を不均一に流下することとなり、また、汚物受け面１１６上の全体を比較的均一に旋回しながら洗浄するような旋回流は形成できていなかった。よって、汚物受け面１１６の洗浄が不良となる問題が生じていた。
【０００６】
また、特許文献１に示すような従来の水洗大便器においても、リム後方の導水路からリム部に洗浄水が合流する部分の棚部の内側端を、汚物受け面の上縁よりも内側まで突出させスリット開口の幅を狭く形成するのみでは、後部側のスリット開口から比較的大量の洗浄水が吐水され、依然として、リム通水路を旋回しようとする洗浄水の勢いを強めることができず、洗浄水がリム通水路を一周するように十分に旋回することができず、汚物受け面上の全体を比較的均一に旋回しながら洗浄するような旋回流を形成できず、汚物受け面の洗浄が不良となる問題が生じている。
また、節水化の要請により、洗浄水量を低減して少ない洗浄水量で洗浄しようとする場合には、これらの問題がより顕著になり、汚物受け面の洗浄が不良となるという問題が生じていた。
【０００７】
そこで、本発明の発明者らは、オープンリム構造を備えた水洗大便器において、汚物受け面上の全体を比較的均一に旋回しながら洗浄するような旋回流を形成できる構造について、さらに研究を行った。
仮に、オープンリム構造を備えた水洗大便器においてスリット開口部の大きさを比較的広範囲にわたって変化させようとする場合、便器本体の形状を変化させる必要が生じる。このとき、便器本体の外観形状が、左右非対称となることで、使用者のイメージを少しでも向上させるため美観が重要とされるトイレ空間において、使用者から見た美観が低下してしまうという問題が生じることが考えられた。
【０００８】
そこで、本発明は、上述した従来技術の問題を解決するためになされたものであり、汚物受け面の全体を比較的均一に旋回しながら洗浄するような旋回流を形成することができ、また、便器本体の外観の局部的な変化を抑制し、使用者に左右対称な外観形状の印象を与えることができ、意匠性を良好に保つことができる水洗大便器を提供することを目的としている。
【課題を解決するための手段】
【０００９】
上述した目的を達成するために、本発明は、洗浄水により便器本体を洗浄する水洗大便器において、便器本体の供給口へ洗浄水を供給する給水装置と、ボウル形状の汚物受け面と、汚物受け面の上縁部の上方において、内部に洗浄水を導くリム通水路を形成するリム部と、を備えているボウル部と、ボウル部の下方にその入口が接続され汚物を排出する排水路と、供給口から前方に延び、下流側のリム通水路に接続する接続導水路が便器本体の前後中央断面に対して左右方向のいずれか一方側の第１の側のリム通水路に向けられて形成されているリム後方導水路と、を有し、リム部は、前後中央断面に対して左右対称に形成されるリム内側壁と、前後中央断面に対して左右非対称に形成される汚物受け面の上縁部と左右対称のリム内側壁との間に形成されるスリット開口部と、を備え、スリット開口部は、リム後方導水路の接続導水路が向けられる第１の側のスリット開口部のスリット間隔が、前後中央断面に対して他方側の第２の側のスリット開口部のスリット間隔よりも小さくなるように形成され、リム部のスリット間隔の異なるスリット開口部から吐水される洗浄水により上記汚物受け面に旋回流を形成する、ことを特徴としている。
このように構成された本発明においては、リム部のスリット開口部は、リム後方導水路の接続導水路が向けられる第１の側のスリット開口部のスリット間隔が、前後中央断面に対して他方側の第２の側のスリット開口部のスリット間隔よりも小さくなるように形成されている。従って、リム後方導水路の接続導水路が向けられる側からリム通水路内を旋回する主流から汚物受け面上に吐水される洗浄水の旋回流の水量を、第１の側のスリット開口部において低減し、第２の側のスリット開口部において増大させるように、スリット間隔の異なるスリット開口部から吐水される洗浄水の水量の調整を行うことで、汚物受け面の全体を比較的均一に旋回しながら洗浄するような旋回流を形成することができる。また、第１の側の上流側のスリット開口部から洗浄水がほぼ落下するように汚物受け面に沿って流れ下ることを抑制し、便器外への洗浄水の水跳ねを生じることを抑制することができる。
また、使用者から見えにくい汚物受け面の部分が左右非対称に形成され、使用者から見えやすいリム内側壁が左右対称に形成されているので、便器本体の外観の局部的な変化を抑制し、使用者に左右対称な外観形状の印象を与えることができ、使用者のイメージを少しでも向上させるため美観が重要とされるトイレ空間において、使用者から見た美観を良好に保ち、意匠性を良好に保つことができる。
本発明においては、更に、スリット開口部は、ボウル部を左右に切った左右中央断面において、第１の側のスリット開口部のスリット間隔が、第２の側のスリット開口部のスリット間隔よりも小さくなるように形成されている。
このように構成された本発明においては、左右中央断面部分において、リム通水路内を旋回する主流から汚物受け面上に吐水される洗浄水の旋回流の水量を、第１の側のスリット開口部において低減し、第２の側のスリット開口部において増大させるように、スリット間隔の異なるスリット開口部から吐水される洗浄水の水量の調整を行うことで、汚物受け面の全体を比較的均一に旋回しながら洗浄するような旋回流を形成することができる。
【００１０】
本発明において、好ましくは、スリット開口部は、自身のスリット間隔の大きさが上流側のスリット間隔の大きさよりも大きく形成され且つ下流側のスリット間隔の大きさよりも大きく形成されたスリット間隔増大部を、便器本体の前側の領域の一部に形成している。
このように構成された本発明においては、リム通水路内を旋回する主流から汚物受け面上に吐水される洗浄水の旋回流の水量を、便器本体の前側に設けられたスリット間隔増大部において増大させるように、スリット間隔の異なるスリット開口部から吐水される洗浄水の水量の調整を行うことができ、汚物受け面の全体を比較的均一に旋回しながら洗浄するような旋回流を形成することができる。
【００１１】
本発明において、好ましくは、スリット開口部は、リム後方導水路の接続導水路が向けられる第１の側のスリット開口部のスリット間隔が、リム部の後端部から第１側部まで徐々に大きくなるように形成されている。
このように構成された本発明においては、リム後方導水路の接続導水路が向けられる第１の側において、最も水勢が強く且つ水量が多いリム部の後端部においてスリット開口部のスリット間隔が比較的小さく、水勢が徐々に弱まる且つ水量が徐々に減少するにつれて、スリット間隔が、リム部の後端部から第１側部まで徐々に大きくなるように形成されている。従って、リム通水路内を旋回する主流から汚物受け面上に吐水される洗浄水の旋回流の水量を、第１の側のリム部の後端部から第１側部までのスリット開口部において、吐水される洗浄水の水量を徐々に増大させるように調整を行うことで、汚物受け面の全体を比較的均一に旋回しながら洗浄するような旋回流を形成することができる。
【００１３】
本発明において、好ましくは、スリット開口部は、ボウル部の後部を左右に切った左右後部断面において、第１の側のスリット開口部のスリット間隔が、第２の側のスリット開口部のスリット間隔よりも小さくなるように形成されている。
このように構成された本発明においては、ボウル部の後部を左右に切った左右後部断面において、リム通水路内を旋回する主流から汚物受け面上に吐水される洗浄水の旋回流の水量を、第１の側のスリット開口部において低減し、第２の側のスリット開口部において増大させるように、スリット間隔の異なるスリット開口部から吐水される洗浄水の水量の調整を行うことで、汚物受け面の全体を比較的均一に旋回しながら洗浄するような旋回流を形成することができる。
【００１４】
本発明において、好ましくは、スリット開口部は、第１の側においてスリット間隔がリム部の後端部から第１側部まで徐々に大きくなるような変化の割合が、第２の側においてスリット間隔がリム部の後端部から第２側部まで徐々に大きくなるような変化の割合よりも小さくなるように形成されている。
このように構成された本発明においては、第１の側において、リム後方導水路からの洗浄水の水勢が比較的強い第１の側においてスリット間隔がリム部の後端部から第１側部まで徐々に大きくなるような変化の割合が比較的小さくなるように形成され、リム通水路内を旋回する主流から汚物受け面上に吐水される洗浄水の旋回流の水量を、水勢が比較的強い第１の側のスリット開口部において増大しにくいように抑制している。一方、主にリム通水路を周回した洗浄水が到達し、水勢が比較的弱くなる第２の側において、スリット間隔がリム部の後端部から第２側部まで徐々に大きくなるような変化の割合が比較的大きくなるように形成されて、リム通水路内を旋回する主流から汚物受け面上に吐水される洗浄水の旋回流の水量を、水勢が比較的弱くなる第２の側のスリット開口部において後端部近傍まで減少しにくくしている。第１の側におけるスリット間隔の大きさの変化の割合と、第２の側におけるスリット間隔の大きさの変化の割合とを異ならせることによりスリット開口部から吐水される洗浄水の水量の大きさの変化の割合の調整を行うことができ、汚物受け面の全体を比較的均一に旋回しながら洗浄するような旋回流を形成することができる。
【００１５】
本発明において、好ましくは、スリット開口部は、スリット間隔が第１の側においてリム部の後端部から前端部まで徐々に大きくなるように形成されている。
このように構成された本発明においては、第１の側において、最も水勢が強く且つ水量が多いリム通水路の後端部においてスリット開口部のスリット間隔が比較的小さく、下流側において水勢が徐々に弱まり且つ水量が徐々に減少するにつれて、スリット間隔が、リム部の後端部から前端部まで徐々に大きくなるように形成されている。従って、リム通水路内を旋回する主流から汚物受け面上に吐水される洗浄水の旋回流の水量を、徐々に大きくなるスリット間隔により徐々に増大させるように調整することで、汚物受け面の全体を比較的均一に旋回しながら洗浄するような旋回流を形成することができる。
【００１６】
本発明において、好ましくは、スリット開口部は、汚物受け面の上縁部とリム内側壁との間を接続する接続部を備えている。
このように構成された本発明においては、接続部が汚物受け面の上縁部とリム内側壁との間を接続することにより、汚物受け面の上縁部とリム内側壁との間に形成されるスリット間隔の大きさを規定通りに比較的容易に製造することができる。よって、スリット間隔を形成する場合における、製造時におけるスリット間隔の大きさの検査、調整、修正等の管理コスト、ひいては製造コストの増大を抑制することができる。
【００１７】
本発明において、好ましくは、リム部は、第１の側のリム部の幅と、第２の側のリム部の幅とが同じになるように形成されている。
このように構成された本発明においては、リム部は、第１の側のリム部の幅と、第２の側のリム部の幅とが同じになるように形成されているので、使用者から見えるリム部の幅が左右対称に形成されているので、便器本体の外観の局部的な変化を抑制し、左右対称な外観形状に形成することができ、意匠性を良好に保つことができる。
【発明の効果】
【００１８】
本発明の水洗大便器によれば、汚物受け面の全体を比較的均一に旋回しながら洗浄するような旋回流を形成することができ、また、便器本体の外観の局部的な変化を抑制し、使用者に左右対称な外観形状の印象を与えることができ、意匠性を良好に保つことができる。
【図面の簡単な説明】
【００１９】
【図１】本発明の一実施形態による水洗大便器を示す側面断面図である。
【図２】本発明の一実施形態による水洗大便器の便器本体の平面図である。
【図３】図２のＩＩＩ−ＩＩＩ線に沿って見た断面図である。
【図４】図２のＩＶ−ＩＶ線に沿って見た断面図である。
【図５】図２のＶ−Ｖ線に沿って見た断面図である。
【図６】本発明の一実施形態による水洗大便器の汚物受け面上の比較的広範囲を洗浄水が比較的均等に旋回しながら流下する様子を示す図である。
【図７】従来の水洗大便器の汚物受け面上の後方側から洗浄水の主流が流下する様子を示す図である。
【発明を実施するための形態】
【００２０】
以下、添付図面を参照して本発明の一実施形態による水洗大便器について説明する。
図１は本発明の一実施形態による水洗大便器を示す側面断面図であり、図２は本発明の一実施形態による水洗大便器の便器本体の平面図である。以下、本発明の実施形態における説明において、便器本体２を便器本体２を使用する使用者側から見て手前側を前方側とし、使用者から見て奥側を後方側とし、便器本体２を前方から見て右側を右側とし、前方から見て左側を左側として説明している。
【００２１】
図１及び図２に示すように、本発明の一実施形態による水洗大便器１は、陶器等からなる便器本体２を有する。便器本体２は樹脂と陶器、又は樹脂のみにより形成されてもよい。また、便器本体２の後方側の上方には、洗浄水源である貯水タンク４により示す給水装置が設置されている。さらに、貯水タンク４は上水道等の給水源（図示せず）に接続されている。貯水タンク４に設けられた操作レバー（図示せず）を操作することにより洗浄操作を開始すると、貯水タンク４の排水弁（図示せず）が開き、貯水タンク４から所定の洗浄水量（例えば、６リットル）が便器本体２の中央後方側の上部に開口された供給口６に供給されるようになっている。供給口６は、中央のみならず前後中央断面Ｃから右側又は左側にずれて形成されていてもよい。
また、本実施形態の水洗大便器１においては、貯水タンク４から供給される洗浄水量が３リットル乃至６リットルの範囲である節水タイプの水洗大便器、好ましくは４．８リットル乃至６リットルの範囲である節水タイプの水洗大便器に使用することができる。
貯水タンク４により示される給水装置は、貯水タンクの他、規定の洗浄水量を供給できるフラッシュバルブ等の他の給水装置であってもよい。
【００２２】
また、便器本体２の前方上部には、ボウル部８が形成され、便器本体２の後方上部には、貯水タンク４の下流側端部が接続される供給口６と後述するリム通水路２０との間に形成され、貯水タンク４から供給された洗浄水を供給口６からリム通水路２０に導水するリム後方導水路１０が形成されている。なお、本実施形態は、ディストリビュータ等の他の構造を用いてリム後方導水路１０及びリム通水路２０の一部の流路が形成されていてもよい。
さらに、ボウル部８の下方には、溜水部１２が形成され、初期水位の溜水面がＷ０で示されている所定量の溜水が貯留されている。また、この溜水部１２の下端には、排水トラップ管路１４の入口１４ａが接続されており、排水トラップ管路１４は、その入口１４ａから後方へと延び、その後端１４ｂが床面に設置された排出管（図示せず）に接続されている。
さらに、ボウル部８は、ボウル形状に形成されている汚物受け面１６と、汚物受け面１６の上縁部の上方において、内部に洗浄水を導くリム通水路２０を形成するリム部１８とを備えている。
【００２３】
リム後方導水路１０は、供給口６から前方に延び、リム通水路２０に接続する接続導水路１０ａが前後方向中央断面Ｃ１に対して左右方向のいずれか一方側の第１の側（本実施形態においては左側）のリム通水路２０に向けられるように形成されている。ここで、前後中央断面Ｃは、ボウル部８を左右方向に二分するように便器本体２を前後に切った断面である。
【００２４】
リム後方導水路１０は、便器本体２の前方から見てほぼ中央に配置された供給口６近傍から便器本体２の左右方向のうち一方側（本実施形態においては右側）へと延びる上流側リム後方導水路２９と、この上流側リム後方導水路２９から左右方向のうち他方側（本実施形態においては左側）へと延びる下流側リム後方導水路３１とを備えている。リム後方導水路１０は、前後中央断面Ｃ１に対して左右非対称の流路を形成している。リム後方導水路１０は、上流側リム後方導水路２９と下流側リム後方導水路３１とにより、「く」の字形状の流路を形成している。それぞれ異なる方向に延びる上流側リム後方導水路２９と下流側リム後方導水路３１とを接続する屈曲部３２は、便器本体２の前後方向の中央断面Ｃ１に対して右側領域に偏心して位置決めされている。下流側リム後方導水路３１は、上流からその下流側に向かって中央断面Ｃ１上に一端戻った後、さらに、徐々に左側領域に向かって偏心するように形成されている。従って、リム後方導水路１０は、導水路全体の長さが従来よりも長くなるように形成されている。
【００２５】
上流側リム後方導水路２９は、便器本体２の中央断面Ｃ１上の供給口６から斜めに右側方向に向かって直線的に延び、中央断面Ｃ１に対して非対称の位置に配置され、中央断面Ｃに対して右側近傍に配置された上流側リム導水路出口部２９ａまで延びている。上流側リム後方導水路２９は、上流から下流側に向かって中央断面Ｃ１に対して徐々に右側領域に偏心するように形成されている。上流側リム後方導水路２９の中央軸線Ａ１は、中央断面Ｃ１に対して前方が右側外向きに傾斜するように配置されている。
【００２６】
下流側リム後方導水路３１は、屈曲部３２に接続される下流側リム導水路入口部３１ａから左側へと延び、リム通水路２０の左側後部領域２０ａに接続される下流側リム導水路出口部３１ｂ（接続導水路１０ａ）に至る流路を形成している。下流側リム後方導水路３１は、下流側リム導水路入口部３１ａから、下流側リム導水路出口部３１ｂまで、便器本体２の中央断面Ｃ１を斜めに横切るような直線的な流路を形成している。
下流側リム後方導水路３１の中央軸線Ａ２は、中央断面Ｃ１に対して前方が左側外向きに傾斜するように配置されている。上流側リム後方導水路２９の中央軸線Ａ１と、下流側リム後方導水路３１の中央軸線Ａ２との交点は、中央断面Ｃ１に対して右側に位置するのに対し、下流側リム導水路出口部３１ｂ（接続導水路１０ａ）は、中央断面Ｃ１に対して反対側の左側に位置している。
【００２７】
下流側リム後方導水路３１は、比較的長い長さの流路を有しているので、洗浄水が下流側リム後方導水路３１中において下流側リム後方導水路３１の向きに良好に整流されることができ、洗浄水の指向性が高められ、下流側リム導水路出口部３１ｂ（接続導水路１０ａ）からリム通水路２０上を周回しようとする向きに整った流れ且つ比較的水勢の強い状態の流れにより吐水される。
【００２８】
また、下流側リム後方導水路３１は、その一部が、リム通水路２０の合流部分の一部と平行になるように形成されている。下流側リム導水路出口部３１ｂ近傍においては、下流側リム後方導水路３１の中央軸線Ａ２の向きと、ボウル部８の左側後部領域においてリム通水路２０上を周回しようとする洗浄水の流線の向きとがほぼ一致するようになっているので、下流側リム導水路出口部３１ｂから流出する洗浄水が、リム通水路２０上をほぼ同じ旋回方向（周回方向）に向かって流れ、水の勢いを保った状態（流量及び流速をほぼ維持した状態）でリム通水路２０上を周回しようとする流れを形成することができる。従って、下流側リム後方導水路３１からリム通水路２０に合流する洗浄水が、リム通水路上の主流Ｆの方向と逆の旋回方向に向かってリム通水路２０上を通り流れること、及び後述するように後部側のスリット開口部３４から主流が汚物受け面１６に流下してしまうことを抑制できる。
【００２９】
次に、リム部１８について詳細に説明する。
図１乃至図５に示すように、リム部１８は、ボウル部８の上縁部として全周にわたって環状に形成されている。
図３は図２のＩＩＩ−ＩＩＩ線に沿って見た断面図であり、図４は図２のＩＶ−ＩＶ線に沿って見た断面図であり、図５は図２のＶ−Ｖ線に沿って見た断面図である。
【００３０】
リム部１８は、リム部１８の外周面を形成し且つ便器本体２の外面上を頂部まで立ち上がるように立壁状に形成されているリム外側壁２２と、リム部１８の頂部の平坦面を形成するリム頂面部２４と、リム部１８の内周面を形成し且つリム頂面部２４からやや内側の下方に向かって垂下するように延び、前後方向に延びる前後中央断面Ｃ１に対して左右対称に形成されているリム内側壁２６と、リム通水路２０の下方においてリム部１８の吐水部を形成するように下方に向かって開口するスリット開口部３４と、リム部１８内において汚物受け面１６の上縁部１６ａから外側に延びる平坦面が形成され且つボウル部８のほぼ全周に亘って環状のほぼ平坦面が形成されるリム通水路底面３０と、を備えている。
【００３１】
リム外側壁２２は、リム頂面部２４の外側端部から下方に延びるように形成されている。リム外側壁２２は、上方から見て、楕円形上に形成され、所定高さを有する縦壁を周上に形成している。図２及び図３に示すように、リム外側壁２２は、上方から見て、前後方向に延びる前後中央断面Ｃ１に対して左右対称に形成され、前後中央断面Ｃ１１からリム外側右壁２２Ｒまでの距離Ｒ１と、前後中央断面Ｃ１２からリム外側左壁２２Ｌまでの距離Ｌ１とが同じ距離に形成されている。例えば、図３に示すような、便器本体２のボウル部８を概ね前後方向に２分するような左右中央断面Ｃ２において、前後中央断面Ｃ１からリム外側右壁２２Ｒまでの距離Ｒ１と、前後中央断面Ｃ１からリム外側左壁２２Ｌまでの距離Ｌ１とが同じ距離に形成されている。なお、左右中央断面Ｃ２は、楕円形上のボウル部８において、ボウル部８が左右方向に最大幅を有している部分、すなわちリム外側壁２２が前後中央断面Ｃ１から左右方向に最大の距離を有している部分をボウル部８の中央として左右方向に中央断面を切ったものである。
【００３２】
また、リム外側壁２２は、前後中央断面Ｃ１からリム外側右壁２２Ｒのリム外側右壁下端２２ｒまでの距離と、前後中央断面Ｃ１からリム外側左壁２２Ｌのリム外側左壁下端２２ｌまでの距離とが同様に同じ距離に形成されている。また、リム外側壁２２は、前後中央断面Ｃ１からリム外側右壁２２Ｒの上端までの距離と、前後中央断面Ｃ１からリム外側左壁２２Ｌの上端までの距離とが同じ距離に形成されている。
従って、リム外側壁２２は、上方から見て、前後中央断面Ｃ１に対して左右対称の形状の外観を有し、左右対称の美観の感じられる意匠性を有している。
【００３３】
リム頂面部２４は、便器本体２の頂面を形成し、環状の平面を形成している。リム頂面部２４は、リム外側壁２２の上端からリム内側壁２６の上端までほぼ水平に延びる平坦面を形成している。リム頂面部２４は、上面視で、前後中央断面Ｃ１に対して左右対称に形成されている。すなわち、リム頂面部２４は、ボウル部８の後部から前部までのいずれの領域における左右方向においても、前後中央断面Ｃ１からリム頂面部外側右端２４Ｒまでの距離Ｒ２と、前後中央断面Ｃ１からリム頂面部外側左端２４Ｌまでの距離Ｌ２とが同じ距離に形成されている。また、リム頂面部２４は、ボウル部８の後部から前部までのいずれの領域における左右方向においても、前後中央断面Ｃ１からリム頂面部内側右端２４ｒまでの距離Ｒ３と、前後中央断面Ｃ１からリム頂面部内側左端２４ｌまでの距離Ｌ３とが同じ距離に形成されている。従って、上面視で、ボウル部８の後部から前部までのいずれの領域における左右方向においても、リム頂面部２４の外形、すなわち、便器本体２の外形は、前後中央断面Ｃ１に対して左右対称に形成されている。よって、リム頂面部２４は、ボウル部８の後部から前部までのいずれの領域における左右断面においても、リム頂面部２４の幅Ｗ１は、リム頂面部右側部分の幅と、リム頂面部左側部分の幅とが同じ幅の大きさに形成されている。
【００３４】
リム内側壁２６は、リム頂面部２４の内側端部から下方に延びるように形成されている。リム内側壁２６は、上方から見て、楕円形上に形成され、所定高さを有する縦壁を周上に形成している。リム内側壁２６は、その上端から下方へ汚物受け面１６近傍まで垂れ下がるように延びてリム部１８の内部（便器本体２の中心から見て自身の外側）にリム通水路２０を形成するような垂下壁部を形成している。リム内側壁２６は、上方から見て、前後中央断面Ｃ１に対して左右対称に形成され、前後中央断面Ｃ１からリム内側右壁２６Ｒまでの距離と、前後中央断面Ｃ１からリム内側左壁２６Ｌまでの距離とが同じ距離に形成されている。例えば、リム内側壁２６は、前後中央断面Ｃ１からリム内側右壁下端２６ｒまでの距離Ｒ４と、前後中央断面Ｃ１からリム内側左壁下端２６ｌまでの距離Ｌ４とが同じ距離に形成されている。従って、リム内側壁２６は、上面視で、前後中央断面Ｃ１に対して左右対称の形状の外観を有し、左右対称の美観の感じられる意匠性を有している。なお、説明のため、リム内側壁２６の下端（リム内側右壁下端２６ｒ及びリム内側左壁下端２６ｌを含む）をまとめて、リム内側壁下端部２６ａと称する。
【００３５】
リム通水路底面３０は、リム部１８内部において環状のリム通水路２０の環状の底面を形成するようなほぼ平坦面を形成し、洗浄水がリム部１８内を一周することができるような比較的平坦な流路を形成している。リム通水路底面３０はボウル部８の外側方向から内側方向においては、ほぼ水平方向に延び、例えば、リム外側右壁下端２２ｒ及びリム外側左壁下端２２ｌの内部側から内側方向にほぼ水平方向に延びるほぼ平坦面を形成している。
このような構成により、リム後方導水路１０から供給された洗浄水が、リム通水路２０においてリム通水路底面３０上を流れながらボウル部８の上部を一周するような流れを形成することができる。すなわち、本実施形態における水洗大便器１は、オープンリムタイプの構造によるリム通水路２０において洗浄水が左右片側から時計回り又は反時計回りに周回するような一方向の流れを形成するタイプの水洗大便器である。
【００３６】
次に、オープンリムタイプのリム部１８の下方に形成されるスリット開口部３４について詳細に説明する。
図１乃至図４に示すように、スリット開口部３４は、前後中央断面Ｃ１に対して左右非対称に形成される汚物受け面１６の上縁部１６ａと、左右対称のリム内側壁２６との間に形成される開口部である。スリット開口部３４は、ボウル部８の前後中央断面Ｃ１上の前端領域及び後端領域においても、汚物受け面１６の上縁部１６ａと、リム内側壁２６との間に形成されている。リム部１８の周方向に沿って形成されたリム通水路２０の内側且つ下方が全周にわたって開口されてスリット開口部３４を形成している、いわゆる、オープンリムタイプの形態であるオープンリム部となっている。スリット開口部３４は、下方へと開口するスリット形状に形成されている。スリット開口部３４の大きさは、上縁部１６ａと、リム内側壁２６との間の流路の幅の大きさによって規定されている。例えば、スリット開口部３４の大きさは、リム内側壁２６から上縁部１６ａに下ろした垂線の長さによって規定してもよい。スリット開口部３４はリム内側壁２６と上縁部１６ａとの間で上方がリム部１８によって覆われるように設けられることから、使用者に視認される外観として露出されにくく形成されている。
【００３７】
まず、前後中央断面Ｃ１に対して左右非対称に形成される汚物受け面１６について説明する。
汚物受け面１６は、汚物受け面１６の後部から前部までのいずれの領域における左右断面を取っても、汚物受け面１６のリム後方導水路１０の接続導水路１０ａが向けられる一方側（本実施形態においては左側）における汚物受け面１６の大きさが、前後中央断面Ｃ１に対して他方側（本実施形態においては右側）における、汚物受け面１６の大きさよりも小さくなるように形成されている。
汚物受け面１６は、汚物受け面１６の後部から前部までのいずれの領域における左右断面を取っても、リム後方導水路１０の接続導水路１０ａが向けられる一方側（本実施形態においては左側）における、前後中央断面Ｃ１から汚物受け面左側上縁部１６ｌまでの距離Ｌ５が、前後中央断面Ｃ１に対して他方側（本実施形態においては右側）における、前後中央断面Ｃ１から汚物受け面右側上縁部１６ｒまでの距離Ｒ５よりも小さくなるように形成されている。また、汚物受け面１６は、汚物受け面１６の後部から前部までのいずれの領域における左右断面を取っても、前記一方側におけるリム内側左壁下端２６ｌと汚物受け面左側上縁部１６ｌとの距離が、対向する前記他方側におけるリム内側右壁下端２６ｒと汚物受け面右側上縁部１６ｒとの距離よりも小さくなるように形成されている。
【００３８】
また、図２に示すように、汚物受け面１６は、左右中央断面Ｃ２に対しても前後非対称に形成されている。
また、図５に示すように、汚物受け面１６は、ボウル部８の右側前部と左側後部とを通るように斜めに切った断面においても、前後中央断面Ｃ１と左右中央断面Ｃ２との交点に対して非対称に形成されている。
【００３９】
スリット開口部３４は、上述のような前後中央断面Ｃ１に対して左右非対称に形成される汚物受け面１６の上縁部１６ａと、左右対称のリム内側壁２６との間に形成される所定のスリット間隔の隙間を形成する。スリット開口部３４の所定のスリット間隔は、所定の領域において変化するように形成されている。
説明のため、ボウル部８において前後中央断面Ｃ１と左右中央断面Ｃ２とにより４つに区分される４つの区分領域を、第１領域Ｘ１、第２領域Ｘ２、第３領域Ｘ３及び第４領域Ｘ４と規定する。
【００４０】
第１領域Ｘ１においては、スリット開口部３４の後端部３４ａから左側部３４ｃまでの部分が配置されている。第１領域Ｘ１においては、ボウル部８の後端の後端部３４ａにおいて、スリット開口部３４のスリット間隔は、ａ１ミリメートル（ｍｍ）に形成されている。ボウル部８の後端の後端部３４ａにおけるスリット間隔ａ１は、２〜６ミリメートルの範囲の大きさに形成されている。ボウル部８の左側後部の左側後部３４ｂにおいて、スリット開口部３４のスリット間隔は、ａ２ミリメートル（ｍｍ）に形成されている。ボウル部８の左側における左側部３４ｃにおいて、スリット開口部３４のスリット間隔は、ａ３ミリメートル（ｍｍ）に形成されている。各スリット間隔の大きさは、ａ１＜ａ２＜ａ３の関係を有している。第１領域Ｘ１においては、スリット開口部３４のスリット間隔は、後端部３４ａから左側部３４ｃに向かって、ａ１からａ３の大きさまで徐々に大きくなるように形成されている。
【００４１】
第２領域Ｘ２においては、スリット開口部３４の左側部３４ｃから前端部３４ｅまでの部分が配置されている。第２領域Ｘ２においては、ボウル部８の左側部の左側部３４ｃにおいて、スリット開口部３４のスリット間隔は、ａ３ミリメートル（ｍｍ）に形成されている。ボウル部８の左側前部の左側前部３４ｄにおいて、スリット開口部３４のスリット間隔は、ａ４ミリメートル（ｍｍ）に形成されている。ボウル部８の前端の前端部３４ｅにおいて、スリット開口部３４のスリット間隔は、ａ５ミリメートル（ｍｍ）に形成されている。各スリット間隔の大きさは、ａ３＜ａ４＜ａ５の関係を有している。第２領域Ｘ２においては、スリット開口部３４のスリット間隔は、ボウル部８の左側部３４ｃから前端部３４ｅに向かって、ａ３からａ５の大きさまで徐々に大きくなるように形成されている。
【００４２】
第３領域Ｘ３においては、スリット開口部３４の前端部３４ｅから右側部３４ｇまでの領域をいう。第３領域Ｘ３においては、ボウル部８の前端の前端部３４ｅにおいて、スリット開口部３４のスリット間隔は、ａ５ミリメートル（ｍｍ）に形成されている。例えば、ボウル部８の前端部３４ｅにおけるスリット間隔ａ５は、８〜１４ミリメートルの範囲の大きさに形成されている。ボウル部８の右側前部３４ｆにおいて、スリット開口部３４のスリット間隔は、ａ６ミリメートル（ｍｍ）に形成されている。ボウル部８の右側部３４ｇにおいて、スリット開口部３４のスリット間隔は、ａ７ミリメートル（ｍｍ）に形成されている。各スリット間隔の大きさは、ａ５＝ａ６＝ａ７の関係を有している。第３領域Ｘ３においては、スリット開口部３４のスリット間隔は、ボウル部８の前端部３４ｅから右側部３４ｇに向かって、一定の大きさに形成されている。
【００４３】
第４領域Ｘ４においては、スリット開口部３４の右側部３４ｇから後端部３４ａまでの領域をいう。第４領域Ｘ４においては、ボウル部８の右側部の右側部３４ｇにおいて、スリット開口部３４のスリット間隔は、ａ７ミリメートル（ｍｍ）に形成されている。ボウル部８の右側後部の右側後部３４ｈにおいて、スリット開口部３４のスリット間隔は、ａ８ミリメートル（ｍｍ）に形成されている。ボウル部８の後端の後端部３４ａにおいて、スリット開口部３４のスリット間隔は、ａ１ミリメートル（ｍｍ）に形成されている。各スリット間隔の大きさは、ａ７＞ａ８＞ａ１の関係を有している。第４領域Ｘ４においては、スリット開口部３４のスリット間隔は、ボウル部８の右側部の右側部３４ｇから後端部３４ａに向かって、ａ７からａ１の大きさまで徐々に小さくなるように形成されている。ここで、第４領域Ｘ４においては、スリット開口部３４のスリット間隔は、ａ７からａ１の大きさまで比較的急激な割合で小さくなるように形成されている。
【００４４】
さらに、領域又は位置におけるスリット開口部３４のスリット間隔等の関係について以下に説明する。
スリット開口部３４は、左右方向に見て、リム後方導水路１０の接続部分である接続導水路１０ａが向けられる第１の側の第１領域Ｘ１のスリット開口部３４のスリット間隔が、前後中央断面Ｃ１に対して他方側の第２の側の第４領域Ｘ４のスリット開口部３４のスリット間隔よりも小さくなるように形成されている。
また、スリット開口部３４は、左右方向に見て、リム後方導水路１０の接続導水路１０ａが向けられる第１の側の第２領域Ｘ２のスリット開口部３４のスリット間隔が、前後中央断面Ｃ１に対して反対の第２の側の第３領域Ｘ３のスリット開口部３４のスリット間隔よりも小さくなるように形成されている。
【００４５】
スリット開口部３４は、第１の側の第１領域Ｘ１のスリット開口部３４のスリット間隔ａ１及びａ２等が、他の部分のスリット開口部３４のスリット間隔よりも小さくなるように形成され、比較的小さい大きさに形成されている。よって、リム後方導水路１０の接続導水路１０ａの出口近傍のスリット開口部３４において、汚物受け面１６に吐水される洗浄水量を低減するとともにリム通水路２０を旋回しようとする主流Ｆを形成することができる。
また、スリット開口部３４は、第２の側の第４領域Ｘ４のスリット開口部３４のスリット間隔ａ８及びａ１等が、他の部分（例えば、第３領域）のスリット開口部３４のスリット間隔よりも小さくなるように形成され、比較的小さい大きさに形成されている。よって、第４領域Ｘ４のうちのリム後方導水路１０の接続導水路１０ａの出口近傍のスリット開口部３４において、接続導水路１０ａから流入する洗浄水が汚物受け面１６に吐水されてしまうことを抑制することができ、リム通水路２０を旋回しようとする主流Ｆを形成することができる。
【００４６】
スリット開口部３４は、自身のスリット間隔の大きさが上流側の第１領域Ｘ１及び第２領域Ｘ２のスリット間隔ａ１〜ａ４の大きさよりも大きく形成され、且つ下流側の第４領域Ｘ４のスリット間隔ａ８〜ａ１の大きさよりも大きく形成されたスリット間隔ａ５〜ａ７の大きさのスリット間隔増大部３４ｉを、便器本体２の前側の第３領域Ｘ３の一部に形成している。スリット間隔増大部３４ｉは、全周に形成されたスリット開口部３４のうち最大の幅ａ５〜ａ７を有する開口部を形成している。スリット間隔増大部３４ｉは、第３領域Ｘ３において、一定のａ５ミリメートルのスリット間隔を有している。スリット間隔増大部３４ｉは、第３領域Ｘ３の一部領域（便器本体２の前方右側の一部領域）に形成されていてもよい。このように、スリット開口部３４は、全周のうち便器本体２の前側の領域の少なくとも一部は、スリット間隔の大きさが増大されるスリット間隔増大部３４ｉを有している。
【００４７】
スリット開口部３４は、リム後方導水路１０の接続部である接続導水路１０ａが向けられる第１の側の第１領域Ｘ１のスリット開口部３４のスリット間隔ａ１〜ａ３が、リム部１８の後端における後端部３４ａから第１の側の左側部（第１側部）３４ｃまで徐々に大きくなるように形成されている。
【００４８】
スリット開口部３４は、ボウル部８を前後方向に二分するように左右に切った左右中央断面において、第１の側のスリット開口部３４のスリット間隔ａ３が、前後中央断面Ｃ１に対して反対の第２の側のスリット開口部３４のスリット間隔ａ７よりも小さくなるように形成されている。
【００４９】
スリット開口部３４は、ボウル部８の後部を左右に切った左右後部断面Ｃ３において、第１の側の第１領域Ｘ１のスリット開口部３４のスリット間隔ａ２が、前後中央断面Ｃ１に対して反対の第２の側の第４領域Ｘ４のスリット開口部３４のスリット間隔ａ８よりも小さくなるように形成されている。
【００５０】
スリット開口部３４は、スリット間隔ａ１〜ａ３が第１領域Ｘ１において後端部３４ａから第１の側の左側部３４ｃまで徐々に大きくなる変化の割合が、スリット間隔ａ１〜ａ７が第４領域において後端部３４ａから第２の側の右側部３４ｇまで徐々に大きくなる変化の割合よりも小さくなるように形成されている。
【００５１】
スリット開口部３４は、スリット間隔ａ１〜ａ５が第１の側の第１領域Ｘ１及び第２領域Ｘ２において後端部３４ａから前端部３４ｅまで前方側に向かうにつれて徐々に大きくなるように形成されている。
【００５２】
図１及び図２に示すように、スリット開口部３４は、ボウル部８の前後中央断面Ｃ１において、第１領域のスリット開口部３４のスリット間隔ａ１が、中心に対して反対の第３領域Ｘ３のスリット開口部３４ｅのスリット間隔ａ５よりも小さくなるように形成されている。
【００５３】
図５に示すように、スリット開口部３４は、ボウル部８を上方から見て斜め方向に二分するように切った斜め中央断面において、第１領域Ｘ１のスリット開口部３４ｂのスリット間隔ａ２が、中心に対して反対の第３領域Ｘ３のスリット開口部３４ｆのスリット間隔ａ６よりも小さくなるように形成されている。
【００５４】
スリット開口部３４は、全周の内の一部において、汚物受け面１６の上縁部１６ａとリム内側壁２６との間の隙間を規定するようにこれらを接続する接続部３６を備えている。
接続部３６は、汚物受け面１６の上縁部１６ａをリム内側壁２６の内側に向かって突出させ突き当てるようにして接続される。接続部３６は、柱状の接続部又は他の構造により上縁部１６ａとリム内側壁２６とを接続する接続部であってもよい。汚物受け面１６の上縁部１６ａとリム内側壁２６との間に接続部３６が設けられることにより、接続部３６の周囲の比較的広い領域にわたって汚物受け面１６の上縁部１６ａとリム内側壁２６との間の隙間の大きさ、すなわちスリット間隔の大きさを容易に形成及び規定することができる。よって、比較的小さな数ミリ単位の大きさのスリット間隔を形成する場合における、製造時におけるスリット間隔の規定の大きさへの調整、検査、修正等の管理コスト、ひいては製造コストの増大を抑制することができる。よって、スリット開口部３４のスリット間隔を上述のように形成しながら、所定の間隔のスリット間隔から吐水される洗浄水の割合を調整して、洗浄水を汚物受け面１６上で旋回させる性能を保つことができる所定のスリット開口部３４を比較的安価に製造することができる。なお、接続部３６は、スリット開口部３４からの吐水に影響を与えない程度の比較的短い幅（前後方向の幅）を有している。
【００５５】
リム部１８は、上述のように前後中央断面Ｃ１に対して左右対称に形成されている。リム部１８は、第１領域Ｘ１、第２領域Ｘ２、第３領域Ｘ３及び第４領域Ｘ４において、便器本体２の中央部近傍より前方側におけるいずれの領域においてもリム部１８の幅Ｗ１がほぼ同じになるように形成されている。よって、リム部１８は、第１の側の第１領域Ｘ１及び第２領域Ｘ２のリム部の幅と、第２の側の第４領域Ｘ４及び第３領域Ｘ３のリム部の幅とが同じ幅Ｗ１の大きさに形成されている。
【００５６】
また、リム部１８のリム外側右壁２２Ｒとリム外側左壁２２Ｌとが、前後中央断面Ｃ１に対して左右対称に形成され、リム内側右壁２６Ｒとリム内側左壁２６Ｌとが前後中央断面Ｃ１に対して左右対称に形成されている。一方で、汚物受け面左側上縁部１６ｌと、汚物受け面右側上縁部１６ｒとが前後中央断面Ｃ１に対して左右非対称に形成されている。よって、リム通水路２０の平坦なリム通水路底面３０は、リム外側壁２２の内側と汚物受け面１６の上縁部１６ａとの間に形成されることとなり、前後中央断面Ｃ１に対して左右非対称に形成されている。より具体的には、リム通水路左側底面３０ｌの幅は、リム通水路右側底面３０ｒの幅よりも大きくなるように形成されている。
【００５７】
リム部１８の幅が一定の幅Ｗ１に保たれている領域においては、リム通水路左側底面３０ｌの幅の大きさは、スリット開口部３４のスリット間隔の大きさと反比例する。
第１の側の第１領域Ｘ１のリム通水路左側底面３０ｌの幅は、リム部１８のスリット開口部３４の後端部３４ａの近傍位置から第１の側の左側部３４ｃの近傍位置まで徐々に小さくなるように形成されている。また、リム通水路底面３０は、ボウル部８の前後中央断面Ｃ１において、第１の側のリム通水路左側底面３０ｌの幅が、前後中央断面Ｃ１に対して反対の第２の側のリム通水路右側底面３０ｒの幅よりも大きくなるように形成されている。また、図２に示すように、リム通水路底面３０は、ボウル部８の後部を左右に切った左右後部断面Ｃ３において、第１の側の第１領域Ｘ１のリム通水路左側底面３０ｌの幅が、前後中央断面Ｃ１に対して反対の第２の側の第４領域Ｘ４のリム通水路右側底面３０ｒの幅よりも大きくなるように形成されている。左右後部断面Ｃ３は、図４の図２のＩＶ−ＩＶ線に沿って見た断面よりもわずかに前方側の位置における断面を示している。リム通水路底面３０は、リム通水路底面３０の幅が第１領域Ｘ１においてリム部１８の後端部から第１の側の左側部まで徐々に小さくなる変化の割合が、リム通水路底面３０の幅が第４領域Ｘ４においてリム部１８の後端部から第２の側の右側部まで徐々に小さくなる変化の割合よりも小さくなるように形成されている。さらに、リム通水路底面３０は、リム通水路底面３０の幅が第１の側の第１領域Ｘ１及び第２領域Ｘ２においてリム部１８の後端部から前端部まで前方側に向かうにつれて徐々に小さくなるように形成されている。
【００５８】
上述のように、使用者から見えにくい汚物受け面１６の上縁部１６ａ近傍が左右非対称に形成され、使用者から見えやすいリム内側壁２６が左右対称に形成されている。従って、上面視で、便器本体２の外観の局部的な変化を抑制し、使用者に左右対称な外観形状の印象を与えることができ、使用者のイメージを少しでも向上させるため美観が重要とされるトイレ空間において、意匠性を良好に保つことができる。
また、左右非対称に形成される汚物受け面１６の上縁部１６ａ近傍の外面の形状は、外観上はリム部の下方側から覗き込むようにしないと視認することができず、使用者には非常に見えにくい部分に形成される。従って、使用者に左右対称な外観形状の印象を与えることができ、意匠性を良好に保つことができる。
【００５９】
なお本実施形態による水洗大便器１においては、リム後方導水路１０が供給口６から前後中央断面Ｃ１に対して右側に延び、接続導水路１０ａが前後中央断面Ｃ１に対して左側に向けられ、接続導水路１０ａから流出する洗浄水の主流Ｆがリム通水路２０内を左側（第１の側）から反時計回りに右側（第２の側）に向かって周回する向きに流れるようになっている。これに対し、他の実施形態による水洗大便器において、リム後方導水路１０が供給口６から前後中央断面Ｃに対して左側に延び、接続導水路１０ａが前後中央断面Ｃに対して右側に向けられ、接続導水路１０ａから流出する洗浄水の主流がリム通水路２０内を右側（第２の側）から時計回りに左側（第１の側）に向かって周回する向きに流れるようにすることもできる。このような他の実施形態による水洗大便器においても、本実施形態の便器本体２の流路形状と左右逆転したような形状の流路を形成することにより、本実施形態による便器本体２においてと同様に、左右対称のリム内側壁２６等に対し、左右非対称の汚物受け面１６を構成し、スリット開口部の大きさを所定の大きさに形成し、洗浄水が汚物受け面の全体を比較的均一に旋回しながら洗浄するような旋回流を形成することができる。
【００６０】
つぎに、図１〜図６により、本発明の一実施形態による水洗大便器１の作用（動作）を説明する。
図６は、本発明の一実施形態による水洗大便器の汚物受け面上の比較的広範囲を洗浄水が比較的均等に旋回しながら流下する様子を示す図である。
図６において、汚物受け面１６全体を旋回するような流れを形成する水流ｆを示し、水流ｆの水量及び水勢を、矢印の太さ及び大きさにより示している。図６における水流ｆの矢印の太さ及び大きさは、ほぼ同様の太さ及び大きさを有しており、且つ図７（従来の水洗大便器の水流の流れを説明する図）における水流ｆ０の矢印の太さ及び大きさよりも大きな太さ及び大きさを有している。
【００６１】
最初に、便器洗浄のための洗浄操作パネル（図示せず）の操作ボタン（図示せず）を操作すると、貯水タンク４に設けられた排水弁（図示せず）が開き、貯水タンク４から所定の洗浄水量（例えば、６．０リットル）が便器本体２の後方側の供給口６からリム後方導水路１０に供給される。
つぎに、リム後方導水路１０に流入した洗浄水は、上流側リム後方導水路２９内を便器本体２の左右方向のうち右側へと向かって流れる。洗浄水が上流側リム導水路出口部２９ａに到達すると、洗浄水が屈曲部３２において向きを変える。具体的には、洗浄水は、便器本体２の右側向きの流れから左側向きの流れに方向が転換される。
【００６２】
つづいて、洗浄水は、反対側の左側前方に向かって延びる下流側リム後方導水路３１に流入する。洗浄水は、直線的に延びる下流側リム後方導水路３１に沿って下流側リム導水路入口部３１ａから下流側リム導水路出口部３１ｂに向かって直線的な流れを形成する。
下流側リム後方導水路３１は、従来よりも比較的長く形成されており、洗浄水は、下流側リム導水路入口部３１ａから前後中央断面Ｃ１を越えて比較的長い所定距離にわたって直線的に流れ、水勢を維持しながら流れの方向が比較的均一に整えられる。従って、洗浄水は、下流側リム導水路出口部３１ｂから左右に拡がることが抑制され、中央軸線Ａ２に沿ってリム通水路２０に向かって直線的に流れることができる。
【００６３】
下流側リム導水路出口部３１ｂから流出する洗浄水は、リム通水路２０上を反時計回りに周回しようとする向きにリム通水路２０内に流入する。洗浄水は、リム通水路２０を環状に周回するように流れながら全周に形成されたスリット開口部３４から汚物受け面１６に徐々に流下するようになっている。
【００６４】
リム通水路２０内に流入した洗浄水は、前後中央断面Ｃ１近傍の中心領域から第１の側（左側）の第１領域Ｘ１に向かって流れる。第１領域Ｘ１においては、洗浄水が接続導水路１０ａから流入するので、洗浄水の水勢が最も強く且つ水量も多くなっている。
リム通水路２０内に流入した洗浄水は、第１領域Ｘ１において、リム通水路２０内のリム通水路底面３０上を流れている。ここで、スリット開口部３４の後端部３４ａは、スリット間隔ａ１の大きさに形成され、スリット間隔が非常に小さく形成されているので、接続導水路１０ａから流入する洗浄水が流下しやすい領域において、洗浄水が後端部３４ａから汚物受け面１６に流下する水流の水量を比較的少量に抑制し、さらに水勢も抑制することができる。よって、第１領域Ｘ１の上流側のスリット開口部３４から洗浄水がほぼ落下するように汚物受け面１６に沿って溜水面に比較的多量に流れ下ることにより便器外への洗浄水の水跳ねを生じてしまうことを抑制することができる。
【００６５】
第１領域Ｘ１において、スリット開口部３４のスリット間隔の大きさは、後端部３４ａ（スリット間隔ａ１）から、左側後部３４ｂ（スリット間隔ａ２）、左側部３４ｃ（スリット間隔ａ３）に向かって徐々に大きくなるように形成されている。
よって、スリット開口部３４から吐水される洗浄水の水量は、後端部３４ａ（スリット間隔ａ１）から、左側後部３４ｂ（スリット間隔ａ２）、左側部３４ｃ（スリット間隔ａ３）に向かって徐々に大きくなるように形成されている。
リム通水路２０内のリム通水路底面３０上を周回するように流れている洗浄水の水量は、下流側に進むにつれてスリット開口部３４から流下した水量分が徐々に減っている。
【００６６】
第１領域Ｘ１から第２領域Ｘ２に流入した洗浄水は、リム通水路２０内のリム通水路底面３０上を前方に向かって流れる。
第２領域Ｘ２において、スリット開口部３４のスリット間隔の大きさは、左側部３４ｃ（スリット間隔ａ３）から、左側前部３４ｄ（スリット間隔ａ４）、前端部３４ｅ（スリット間隔ａ５）に向かって徐々に大きくなるように形成されている。よって、スリット開口部３４から吐水される洗浄水の水量は、左側部３４ｃ（スリット間隔ａ３）から、左側前部３４ｄ（スリット間隔ａ４）、前端部３４ｅ（スリット間隔ａ５）に向かって徐々に大きくなるように形成されている。
リム通水路２０内のリム通水路底面３０上を周回するように流れている洗浄水の水量は、下流側に進むにつれてスリット開口部３４から流下した水量分が徐々に減っている。
【００６７】
このように、リム通水路２０内のリム通水路底面３０上を周回するように流れている洗浄水の水量及び水勢は、上流側から下流側に進むにつれて徐々に減少するのに対し、吐水される洗浄水の水量及び水勢が、後端部３４ａ（スリット間隔ａ１）、左側後部３４ｂ（スリット間隔ａ２）、左側部３４ｃ（スリット間隔ａ３）、左側前部３４ｄ（スリット間隔ａ４）及び前端部３４ｅ（スリット間隔ａ５）の順に徐々に大きくなるように調整されている。よって、便器本体２の第１領域Ｘ１から第２領域Ｘ２にかけて汚物受け面１６に吐水される洗浄水の水量及び水勢は比較的均等な水量及び水勢となっている。
また、洗浄水は、リム通水路底面３０上を周回するように流れて、反時計回りに旋回しようとする向きに流れているので、スリット開口部３４から吐水された洗浄水が比較的均等な水量及び水勢を有する旋回流を形成して汚物受け面１６上を流下することができる。
【００６８】
さらに、第２領域Ｘ２から第３領域Ｘ３に流入した洗浄水は、リム通水路２０内のリム通水路底面３０上を右側から後方側に向かって流れる。
第３領域Ｘ３において、スリット開口部３４のスリット間隔の大きさは、前端部３４ｅ（スリット間隔ａ５）から、右側前部３４ｆ（スリット間隔ａ６）、右側部３４ｇ（スリット間隔ａ７）まで一定で比較的大きな大きさに形成されている。よって、スリット開口部３４から吐水される洗浄水の水量は、前端部３４ｅ（スリット間隔ａ５）から、右側前部３４ｆ（スリット間隔ａ６）、右側部３４ｇ（スリット間隔ａ７）まで比較的一定の水量になるように形成されている。
リム通水路２０内のリム通水路底面３０上を周回するように流れている洗浄水の水量は、ボウル部８の前端部から下流側に進むにつれてスリット開口部３４から流下した水量分が徐々に減っている。
【００６９】
このように、第３領域Ｘ３においては、吐水される洗浄水の水量が、前端部３４ｅ（スリット間隔ａ５）から、右側前部３４ｆ（スリット間隔ａ６）、右側部３４ｇ（スリット間隔ａ７）までのいずれの領域においても比較的大きく且つ比較的一定の水量になるように調整されている。
よって、本実施形態の水洗大便器のような片側から洗浄水を周回させるオープンリムタイプの水洗大便器において、比較的洗浄水の洗浄力が不足しやすいとされる便器本体２の第３領域Ｘ３においても、洗浄水が比較的大きな水量且つ比較的強い水勢で汚物受け面１６を洗浄することができる。
また、洗浄水は、リム通水路底面３０上を周回するように流れて、反時計回りに旋回しようとする向きに流れているので、スリット開口部３４から吐水された洗浄水が比較的均等な水量及び水勢を有する旋回流を形成して汚物受け面１６上を流下することができる。
【００７０】
また、左右中央断面Ｃ２の部分において、スリット開口部３４ｃはスリット開口部３４ｇよりも小さく形成されているので、リム通水路２０内を旋回する主流Ｆから汚物受け面１６上に吐水される洗浄水の旋回流の水量は、第１の側のスリット開口部３４ｃにおいて低減され、第２の側のスリット開口部３４ｇにおいて増大されるように調整されている。
また、左右後部断面Ｃ３の部分において、スリット開口部３４ｂはスリット開口部３４ｈよりも小さく形成されているので、リム通水路２０内を旋回する主流Ｆから汚物受け面１６上に吐水される洗浄水の旋回流の水量は、第１の側のスリット開口部３４ｂにおいては低減され、第２の側のスリット開口部３４ｈにおいては増大されるように調整されている。
【００７１】
第３領域Ｘ３から第４領域Ｘ４に流入した洗浄水は、リム通水路２０内のリム通水路底面３０上を後方に向かって流れる。
第４領域Ｘ４において、スリット開口部３４のスリット間隔の大きさは、右側部３４ｇ（スリット間隔ａ７）から、右側後部３４ｈ（スリット間隔ａ８）、後端部３４ａ（スリット間隔ａ１）に向かって徐々に小さくなるように形成されている。よって、スリット開口部３４から吐水される洗浄水の水量は、右側部３４ｇ（スリット間隔ａ７）から、右側後部３４ｈ（スリット間隔ａ８）、後端部３４ａ（スリット間隔ａ１）に向かって徐々に小さくなるように形成されている。リム通水路２０内のリム通水路底面３０上を周回するように流れている洗浄水の水量は、下流側に進むにつれてスリット開口部３４から流下した水量分が徐々に減っている。リム通水路２０内のリム通水路底面３０上を後端部まで一周した洗浄水は、新たに接続導水路１０ａから流入する洗浄水と合流して、再び第１領域Ｘ１から前方側に流れる。
【００７２】
このように、第４領域Ｘ４においては、吐水される洗浄水の水量が、右側部３４ｇ（スリット間隔ａ７）から、右側後部３４ｈ（スリット間隔ａ８）、後端部３４ａ（スリット間隔ａ１）の順に徐々に小さくなるように調整されている。
ここで、第４領域Ｘ４においては、スリット開口部３４のスリット間隔は、ａ７からａ１の大きさまで比較的急激な割合で小さくなるように形成されている。よって、吐水される洗浄水の水量及び水勢が、右側部３４ｇ（スリット間隔ａ７）から、右側後部３４ｈ（スリット間隔ａ８）においても比較的大きな水量及び水勢に保たれている。
よって、本実施形態の水洗大便器のような片側から洗浄水を周回させるオープンリムタイプの水洗大便器においても、比較的洗浄水の洗浄力が不足しやすいとされる便器本体２の第４領域Ｘ４においても、洗浄水が比較的大きな水量且つ比較的強い水勢で汚物受け面１６を洗浄することができる。
また、後端部３４ａ（スリット間隔ａ１）においては、前述のように、スリット間隔が非常に小さく形成されているので、接続導水路１０ａから流入する洗浄水が流下しやすい領域において、洗浄水が後端部３４ａから汚物受け面１６に流下する量を比較的少量に抑制することができる。よって、第４領域Ｘ４においても、汚物受け面１６に吐水される洗浄水の水量及び水勢は比較的均等な水量及び水勢となっており、洗浄水が比較的均等な水量及び水勢を有する旋回流を形成して汚物受け面１６上を流下することができる。
【００７３】
第１領域Ｘ１においてスリット開口部３４ａ、３４ｂ、３４ｃのスリット間隔が徐々に大きくなる大きさの変化の割合は、第４領域Ｘ４においてスリット開口部３４ａ、３４ｈ、３４ｇのスリット間隔が徐々に大きくなる大きさの変化の割合よりも小さくなっている。従って、スリット開口部３４から吐水される洗浄水の水量の大きさの変化の割合の調整が行われている。例えば、第１領域Ｘ１においてスリット開口部３４ａ、３４ｂ、３４ｃのスリット間隔が徐々に大きくなる大きさの変化の割合は比較的小さいので、スリット開口部３４からの吐水量がスリット開口部３４ａのスリット間隔からスリット開口部３４ｃのスリット間隔にかけて増大する割合は、比較的低い割合に抑制されている。一方、例えば、第４領域Ｘ４においてスリット開口部３４ａ、３４ｈ、３４ｇのスリット間隔が徐々に大きくなる大きさの変化の割合は比較的大きい（すなわち、スリット開口部３４ｇ、３４ｈ、３４ａの順に見ればこれらのスリット間隔が徐々に小さくなる大きさの変化の割合は比較的大きい）ので、スリット開口部３４からの吐水量がスリット開口部３４ｇのスリット間隔からスリット開口部３４ａのスリット間隔にかけて減少する割合は、比較的大きい割合となっている。よって、第４領域Ｘ４においてスリット間隔３４は急激に変化するため、スリット開口部３４ｈ、３４ｇ近傍からの吐水量が比較的大きく維持されるのに対し、スリット開口部３４ａ近傍からの吐水量が比較的小さくなるように抑制される。このように、第４領域Ｘ４においても、汚物受け面１６の全体を比較的均一に旋回しながら洗浄するような旋回流を形成するように吐水量の調整を行うことが出来る。
【００７４】
このように、図６に示すように、汚物受け面１６において、第１領域Ｘ１、第２領域Ｘ２、第３領域Ｘ３及び第４領域Ｘ４のいずれの領域においても、比較的均等な水量及び水勢を有する洗浄水の水流ｆが吐水され、且つ比較的均等な水量及び水勢を有する旋回流を形成することができる。図６に示すように、汚物受け面１６の全体を比較的広く且つ均一に旋回するような洗浄水の流れｆにより汚物受け面１６を洗浄することができる。従って、本実施形態の水洗大便器のようなオープンリムタイプの水洗大便器において、汚物受け面１６上に比較的均等な水量及び水勢を有する旋回流を形成することができ、汚物受け面１６を広範囲に洗浄でき且つ汚物の洗い残しを抑制し、汚物受け面１６の洗浄能力を向上させることができる。
このような旋回流れを形成しながら、洗浄水が、ボウル部８の汚物受け面１６の全体を洗浄する。ボウル部８を流下した洗浄水は、汚物とともに排水トラップ管路１４から排出されて、便器本体２の一連の洗浄動作が終了する。
【００７５】
上述した本発明の一実施形態による水洗大便器１によれば、リム部１８のスリット開口部３４は、リム後方導水路１０の接続導水路１０ａが向けられる第１の側のスリット開口部３４のスリット間隔が、前後中央断面Ｃ１に対して他方側の第２の側のスリット開口部３４のスリット間隔よりも小さくなるように形成されている。従って、リム後方導水路１０の接続導水路１０ａが向けられる側からリム通水路２０内を旋回する主流から汚物受け面１６上に吐水される洗浄水の旋回流の水量を、第１の側のスリット開口部３４において低減し、第２の側のスリット開口部３４において増大させるように、スリット間隔の異なるスリット開口部３４から吐水される洗浄水の水量の調整を行うことで、汚物受け面１６の全体を比較的均一に旋回しながら洗浄するような旋回流を形成することができる。また、第１の側の上流側のスリット開口部３４から洗浄水がほぼ落下するように汚物受け面１６に沿って流れ下ることを抑制し、便器外への洗浄水の水跳ねを生じることを抑制することができる。
また、使用者から見えにくい汚物受け面１６の部分が左右非対称に形成され、使用者から見えやすいリム内側壁２６が左右対称に形成されているので、便器本体２の外観の局部的な変化を抑制し、使用者に左右対称な外観形状の印象を与えることができ、意匠性を良好に保つことができる。
【００７６】
また、本実施形態による水洗大便器１によれば、リム通水路２０内を旋回する主流Ｆから汚物受け面１６上に吐水される洗浄水の旋回流の水量を、便器本体２の前側に設けられたスリット間隔増大部３４ｉにおいて増大させるように、スリット間隔の異なるスリット開口部３４から吐水される洗浄水の水量の調整を行うことができ、汚物受け面１６の全体を比較的均一に旋回しながら洗浄するような旋回流を形成することができる。
【００７７】
さらに、本実施形態による水洗大便器１によれば、リム後方導水路１０の接続導水路１０ａが向けられる第１の側において、最も水勢が強く且つ水量が多いリム部１８の後端部３４ａにおいてスリット開口部３４のスリット間隔が比較的小さく、水勢が徐々に弱まる且つ水量が徐々に減少するにつれて、スリット間隔が、リム部１８の後端部３４ａから第１側部３４ｃまで徐々に大きくなるように形成されている。従って、リム通水路２０内を旋回する主流から汚物受け面１６上に吐水される洗浄水の旋回流の水量を、第１の側のリム部１８の後端部から第１側部までのスリット開口部３４において、吐水される洗浄水の水量を徐々に増大させるように調整を行うことで、汚物受け面１６の全体を比較的均一に旋回しながら洗浄するような旋回流を形成することができる。
【００７８】
また、本実施形態による水洗大便器１によれば、左右中央断面Ｃ２の部分において、リム通水路２０内を旋回する主流Ｆから汚物受け面１６上に吐水される洗浄水の旋回流の水量を、第１の側のスリット開口部３４ｃにおいて低減し、第２の側のスリット開口部３４ｇにおいて増大させるように、スリット間隔の異なるスリット開口部３４から吐水される洗浄水の水量の調整を行うことで、汚物受け面１６の全体を比較的均一に旋回しながら洗浄するような旋回流を形成することができる。
【００７９】
また、本実施形態による水洗大便器１によれば、ボウル部８の後部を左右に切った左右後部断面Ｃ３において、リム通水路２０内を旋回する主流Ｆから汚物受け面１６上に吐水される洗浄水の旋回流の水量を、第１の側のスリット開口部３４ｂにおいて低減し、第２の側のスリット開口部３４ｈにおいて増大させるように、スリット間隔の異なるスリット開口部３４から吐水される洗浄水の水量の調整を行うことで、汚物受け面１６の全体を比較的均一に旋回しながら洗浄するような旋回流を形成することができる。
【００８０】
また、本実施形態による水洗大便器１によれば、第１の側において、リム後方導水路１０からの洗浄水の水勢が比較的強い第１の側においてスリット間隔がリム部１８の後端部３４ａから第１側部３４ｃまで徐々に大きくなるような変化の割合が比較的小さくなるように形成され、リム通水路２０内を旋回する主流Ｆから汚物受け面１６上に吐水される洗浄水の旋回流の水量を、水勢が比較的強い第１の側のスリット開口部３４において増大しにくいように抑制している。
一方、主にリム通水路２０を周回した洗浄水が到達し、水勢が比較的弱くなる第２の側において、スリット間隔がリム部１８の後端部３４ａから第２側部３４ｇまで徐々に大きくなるような変化の割合が比較的大きくなるように形成されて、リム通水路２０内を旋回する主流から汚物受け面１６上に吐水される洗浄水の旋回流の水量を、水勢が比較的弱くなる第２の側のスリット開口部３４において後端部近傍まで減少しにくくしている。
第１の側におけるスリット間隔の大きさの変化の割合と、第２の側におけるスリット間隔の大きさの変化の割合とを異ならせることによりスリット開口部３４から吐水される洗浄水の水量の大きさの変化の割合の調整を行うことができ、汚物受け面１６の全体を比較的均一に旋回しながら洗浄するような旋回流を形成することができる。
【００８１】
また、本実施形態による水洗大便器１によれば、第１の側において、最も水勢が強く且つ水量が多いリム通水路２０の後端部３４ａにおいてスリット開口部３４のスリット間隔が比較的小さく、下流側において水勢が徐々に弱まり且つ水量が徐々に減少するにつれて、スリット間隔が、リム部１８の後端部３４ａから前端部３４ｅまで徐々に大きくなるように形成されている。従って、リム通水路２０内を旋回する主流Ｆから汚物受け面１６上に吐水される洗浄水の旋回流の水量を、徐々に大きくなるスリット間隔により徐々に増大させるように調整することで、汚物受け面１６の全体を比較的均一に旋回しながら洗浄するような旋回流を形成することができる。
【００８２】
また、本実施形態による水洗大便器１によれば、接続部３６が汚物受け面１６の上縁部１６ａとリム内側壁２６との間を接続することにより、汚物受け面１６の上縁部１６ａとリム内側壁２６との間に形成されるスリット間隔の大きさを規定通りに比較的容易に製造することができる。接続部３６を配置することで周囲のスリット間隔の大きさを想定通りに形成しやすくなる。よって、スリット間隔を形成する場合における、製造時におけるスリット間隔の大きさの検査、調整、修正等の管理コスト、ひいては製造コストの増大を抑制することができる。
【００８３】
また、本実施形態による水洗大便器１によれば、リム部１８は、第１の側のリム部１８の幅Ｗ１と、第２の側のリム部１８の幅Ｗ１とが同じになるように形成されているので、使用者から見えるリム部１８の幅Ｗ１が左右対称に形成されているので、便器本体２の外観の局部的な変化を抑制し、左右対称な外観形状に形成することができ、意匠性を良好に保つことができる。
【符号の説明】
【００８４】
１        水洗大便器
２        便器本体
４        貯水タンク
６        供給口
８        ボウル部
１０      リム後方導水路
１０ａ    接続導水路
１２      溜水部
１４      排水トラップ管路
１４ａ    入口
１４ｂ    後端
１６      汚物受け面
１６ａ    上縁部
１６ｒ    汚物受け面右側上縁部
１６ｌ    汚物受け面左側上縁部
１８      リム部
２０      リム通水路
２０ａ    左側後部領域
２２      リム外側壁
２２Ｒ    リム外側右壁
２２Ｌ    リム外側左壁
２２ｒ    リム外側右壁下端
２２ｌ    リム外側左壁下端
２４      リム頂面部
２４Ｒ    リム頂面部外側右端
２４Ｌ    リム頂面部外側左端
２４ｒ    リム頂面部内側右端
２４ｌ    リム頂面部内側左端
２６      リム内側壁
２６ａ    リム内側壁下端部
２６Ｒ    リム内側右壁
２６Ｌ    リム内側左壁
２６ｒ    リム内側右壁下端
２６ｌ    リム内側左壁下端
２９      上流側リム後方導水路
２９ａ    上流側リム導水路出口部
３０      リム通水路底面
３０ｒ    リム通水路右側底面
３０ｌ    リム通水路左側底面
３１      下流側リム後方導水路
３１ａ    下流側リム導水路入口部
３１ｂ    下流側リム導水路出口部
３２      屈曲部
３４      スリット開口部
３４ａ    後端部
３４ｂ    左側後部
３４ｃ    左側部
３４ｄ    左側前部
３４ｅ    前端部
３４ｆ    右側前部
３４ｇ    右側部
３４ｈ    右側後部
３４ｉ    スリット間隔増大部
３６      接続部
１０１    水洗大便器
１０２    便器本体
１０６    供給口
１１６    汚物受け面
１１８    リム部
１２０    リム通水路
１３４    スリット開口
ａ１      リット間隔
ａ２      スリット間隔
ａ３      スリット間隔
ａ４      スリット間隔
ａ５      スリット間隔
ａ６      スリット間隔
ａ７      スリット間隔
ａ８      スリット間隔
Ａ１      中央軸線
Ａ２      中央軸線
Ｃ１      前後中央断面
Ｃ２      左右中央断面
Ｃ３      左右後部断面
Ｆ        主流
ｆ        水流
ｆ０      水流
ｆ１      水流
Ｌ１      距離
Ｌ２      距離
Ｌ３      距離
Ｌ４      距離
Ｌ５      距離
Ｒ１      距離
Ｒ２      距離
Ｒ３      距離
Ｒ４      距離
Ｒ５      距離
Ｗ１      幅
Ｘ１      第１領域
Ｘ２      第２領域
Ｘ３      第３領域
Ｘ４      第４領域
【図１】
0006628025.tif 000002
【図２】
0006628025.tif 000003
【図３】
0006628025.tif 000004
【図４】
0006628025.tif 000005
【図５】
0006628025.tif 000006
【図６】
0006628025.tif 000007
【図７】
0006628025.tif 000008